(57)【要約】【課題】簡便な操作で溶液を一様に塗布できるようにする。【解決手段】ユーザによって押圧操作される溶液泡吐出部４の吐出口４Ａまでの間に泡発生部４Ｇを設け、溶液泡吐出部４の押下げ動作に応じて押し下げ動作する押込パイプ２６によって、シリンダ１５Ａ、１５Ｂから供給される溶液と、蛇腹２８から供給される泡発生空気とを泡発生部４Ｇにおいて混合することにより溶液泡を吐出させるようにしたことにより、ユーザが簡便な操作をするだけで、溶液を一様に塗布できる溶液泡吐出装置１を実現できる。【選択図】図５
2013177156.tif 000002
【特許請求の範囲】
【請求項１】
溶液泡吐出部を押込み操作したとき下方向に動作する押込パイプに結合されたピストンがシリンダに押し込まれたとき、上記シリンダ内の溶液を上記ピストンに設けられた溶液案内通路を通って上記溶液泡吐出部の吐出口に向かって供給すると共に、上記下方向に動作する押込パイプによって蛇腹支持部材を下方向に動作させることにより蛇腹を圧縮して当該蛇腹内の空気を上記溶液泡吐出部に向かって泡発生用空気として供給し、
上記溶液泡吐出部の吐出口までの間に設けた泡発生部材において、上記シリンダから供給された上記溶液と、上記蛇腹から供給された上記泡発生用空気とを混合することにより溶液泡を上記吐出口から吐出させる
ことを特徴とする溶液泡吐出装置。
【請求項２】
上記シリンダは、第１溶液を保有する第１液容器に設けられた第１溶液用シリンダと、第２溶液を保有する第２液容器に設けられた第２溶液用シリンダとで構成され、
上記第１溶液用シリンダのピストン及び上記第２溶液用シリンダのピストンを、一緒に、上記押込パイプの下方向への動作に応動させるように上記押込パイプに連結するシリンダ連結部材
を具えることを特徴とする溶液泡吐出装置。
【請求項３】
上記シリンダ連結部材は、上記蛇腹支持部材と一体に下方向に動作することにより、上記第１溶液用ピストンから供給される上記第１溶液と、上記第２溶液用ピストンから供給される上記第２溶液と、上記蛇腹から供給される上記泡発生用空気とを、一緒に上記泡発生部材に供給することにより、当該泡発生部材から、むらのない、一様な上記溶液泡を発生させる
ことを特徴とする請求項２に記載の溶液泡吐出装置。
【請求項４】
上記溶液泡吐出部の吐出口と、上記泡発生部材との間に、ユーザの操作によって、上記泡発生部材によって発生された上記溶液泡を上記吐出口に連通させる連通動作状態と、上記泡発生部材によって発生された上記溶液泡を上記吐出口に連通させずに封止する封止動作状態とを切り換える開閉部材を設けた
ことを特徴とする請求項１に記載の溶液泡吐出装置。
【発明の詳細な説明】
【技術分野】
【０００１】
本発明は溶液泡吐出装置に関し、例えば泡状の染毛剤溶液を頭髪に吹きかける場合に適用し得るものである。
【背景技術】
【０００２】
染毛剤溶液として、従来から、２液染毛方式のものと、１液染毛方式のものとが用いられている。
【０００３】
２液染毛方式の染毛剤溶液は、第１液を酸化染料とアルカリ剤、界面活性剤、酸化安定剤等から構成すると共に、第２液として酸、酸化剤、増粘剤等を配合し、第１液の酸化染料と第２液の酸化剤とを長時間混合しておくと酸化重合により大きな色素分子ができて毛髪に色素が入らなくなるため、２剤形式にして、染毛処理時にその混合液を得て、これにより毛髪を脱色すると同時に染料を毛髪内に浸透させることにより酸化重合を生じさせて発色させるようにした２液の混合液塗布具が、従来から提案されている（特許文献１参照）。
【０００４】
これに対して、シャンプー、リンス、リーキッドソープなどの１液溶液を頭髪などに塗布する１液方式の溶液塗布具としては、当該塗布溶液を溶液泡として吐出させるものが従来から提案されている（特許文献２参照）。
【先行技術文献】
【特許文献】
【０００５】
【特許文献１】特開２００５−９７３１０公報
【特許文献２】特許第４７４９１８８号公報
【発明の概要】
【発明が解決しようとする課題】
【０００６】
ところで、この種の１液又は２液の染毛具は、これを用いて、家庭内で、一般ユーザが自分の毛髪に溶液を塗布することを考えると、できるだけ簡便な操作で、安全に塗布操作できるものであることが望ましい。
【０００７】
本発明は以上の点を考慮してなされたもので、簡便にかつ一様安全に塗布液を頭髪に塗布できるようにした溶液泡吐出装置を提案しようとするものである。
【課題を解決するための手段】
【０００８】
かかる課題を解決するため本発明においては、溶液泡吐出部４を押込み操作したとき下方向に動作する押込パイプ２６に結合されたピストン１６Ａ（１６Ｂ）がシリンダ１５Ａ（１５Ｂ）に押し込まれたとき、シリンダ１５Ａ（１５Ｂ）内の溶液をピストン１６Ａ（１６Ｂ）に設けられた溶液案内通路１７Ａ（１７Ｂ）を通って溶液泡吐出部４の吐出口４Ａに向かって供給すると共に、下方向に動作する押込パイプ２６によって蛇腹支持部材２５を下方向に動作させることにより蛇腹２８を圧縮動作させて当該蛇腹２８内の空気を溶液泡吐出部４に向かって泡発生用空気として供給し、溶液泡吐出部４の吐出口４Ａまでの間に設けた泡発生部材４Ｇにおいて、シリンダ１５Ａ（１５Ｂ）から供給された溶液と、蛇腹２８から供給された泡発生用空気とを混合することにより溶液泡を吐出口４Ａから吐出させるようにする。
【発明の効果】
【０００９】
本発明によれば、ユーザによって押圧操作される溶液泡吐出部の吐出口までの間に泡発生部を設け、溶液泡吐出部の押下げ動作に応じて押し下げ動作する押込パイプによって、ピストン及び蛇腹支持部材を下動動作させることによりシリンダから供給される溶液と、蛇腹から供給される泡発生空気とを泡発生部において混合することにより溶液泡を吐出させるようにしたことにより、ユーザが簡便な操作をするだけで、一様かつ安全に溶液を塗布できる溶液泡吐出装置を実現できる。
【図面の簡単な説明】
【００１０】
【図１】図１は本発明による溶液泡吐出装置の第１の実施の形態を示す断面図である。
【図２】図１の溶液容器部の詳細構成を示す略線的斜視図である。
【図３】上下動用のクリック機構の説明に供する略線図である。
【図４】溶液泡吐出部の詳細構成を示す略線的断面図である。
【図５】第２の実施の形態を示す断面図である。
【図６】図５の溶液泡吐出部の詳細構成を示す断面図、斜視図及び略線的断面図である。
【図７】第３の実施の形態を示す断面図である。
【図８】溶液泡吐出装置の外観構成を示す斜視図である。
【図９】上下動用のクリック機構の説明に供する略線図である。
【図１０】第４の実施の形態を示す断面図である。
【図１１】溶液泡発生部の詳細構成を示す略線的断面図である。
【図１２】第５の実施の形態を示す断面図である。
【図１３】第６の実施の形態を示す断面図である。
【図１４】他の実施の形態を示す略線的断面図である。
【発明を実施するための形態】
【００１１】
以下図面について、本願発明の一実施の形態を詳述する。
【００１２】
（１）第１の実施の形態
図１において、１は全体として２液染毛方式の溶液泡吐出装置を示し、染毛溶液を保持する溶液容器部２から溶液供給部３を介して溶液泡吐出部４に染毛溶液を供給すると共に、空気供給部５から溶液泡吐出部４に泡発生用空気を供給することにより、溶液泡吐出部４の吐出口４Ａから溶液泡を吐出するようになされている。
【００１３】
この実施の形態の場合、ユーザは、吐出操作部７に指をかけて溶液泡吐出部４を溶液容器部２の方向に押し込むことにより、溶液泡の吐出動作をさせる。
【００１４】
溶液容器部２は酸化染料とアルカリ剤、界面活性剤、酸化安定剤とから構成される１剤を収納する第１液容器１１Ａと、酸、酸化剤、増粘料等を配合してなる２剤を収納する第２液容器１１Ｂとでなる。
【００１５】
第１液容器１１Ａ及び第２液容器１１Ｂは、図２に示すように、円筒外観形状の容器を縦方向に半分に分割したような構成を有し、それぞれの腹部１２Ａ及び１２Ｂを合わせることにより１本の円筒形状の容器の外観をもつ溶液容器部２が形成される。
【００１６】
第１液容器１１Ａ及び第２液容器１１Ｂの上方に開口する口部１３Ａ及び１３Ｂは板状の蓋部材１４Ａ及び１４Ｂによって閉塞され、これにより第１液容器１１Ａ及び第２液容器１１Ｂにそれぞれ第１液及び第２液を保持している。
【００１７】
蓋部材１４Ａ及び１４Ｂには溶液供給部３を構成するシリンダ１５Ａ及び１５Ｂが取り付けられ、当該シリンダ１５Ａ及び１５Ｂのピストン１６Ａ及び１６Ｂが空気供給部５を通るように上方に突出し、ピストン１６Ａ及び１６Ｂ内に形成された円管状の溶液案内通路１７Ａ及び１７Ｂを介し、さらに可撓性材料で構成された導出チューブ１８Ａ及び１８Ｂを介して、溶液泡吐出部４内に形成された泡発生混合室４Ｃに連結されている。
【００１８】
シリンダ１５Ａ及び１５Ｂ内には、弦巻状スプリング１９Ａ及び１９Ｂと逆止弁２０Ａ及び２０Ｂを形成するボールとが配設され、これによりピストン１６Ａ及び１６Ｂがスプリング１９Ａ及び１９Ｂの弾発力に抗して下方に押し込まれたとき、当該シリンダ１５Ａ及び１５Ｂに吸入されていた溶液が溶液案内通路１７Ａ及び１７Ｂ並びに導出チューブ１８Ａ及び１８Ｂを通って泡発生混合室４Ｃに供給される。
【００１９】
この状態において、ピストン１６Ａ及び１６Ｂに対する押し込み力がなくなったとき、スプリング１９Ａ及び１９Ｂの強い弾性力によってピストン１６Ａ及び１６Ｂを上方に押し上げ、これによりシリンダ１５Ａ及び１５Ｂ内が負圧になることにより、第１液容器１１Ａ及び第２液容器１１Ｂ内に保持されている第１及び第２溶液が、シリンダ１５Ａ及び１５Ｂの下端に取り付けられた吸入チューブ２１Ａ及び２１Ｂから逆止弁２０Ａ及び２０Ｂを通って吸入され、かくして次回の溶液供給動作に備えるようになされている。
【００２０】
この実施の形態の場合、溶液案内通路１７Ａ及び１７Ｂにはボール弁形式の逆止弁２２Ａ及び２２Ｂが設けられ、これによりピストン１６Ａ及び１６Ｂがシリンダ１５Ａ及び１５Ｂ内に溶液を吸入する状態のとき溶液案内通路１７Ａ及び１７Ｂを閉塞するのに対して、シリンダ１５Ａ及び１５Ｂ内の溶液を供給する状態になったとき溶液案内通路１７Ａ及び１７Ｂを上方に開放することにより溶液を泡発生混合室４Ｃに供給する。
【００２１】
空気供給部５は、上端部を泡発生混合室４Ｃと連通しかつ下端部を蛇腹支持部材２５に連結された円筒状の押込パイプ２６を有し、蛇腹支持部材２５と、これと対向するように蓋部材１４Ａ及び１４Ｂ上に設けられた蛇腹支持基板２７との間に設けられた蛇腹２８の伸縮動作によって泡発生混合室４Ｃに供給する泡発生用空気を作る。
【００２２】
蛇腹支持部材２５は押込パイプ２６の下端にその下端面を閉塞するように固着され、その厚みを貫通するピストン１６Ａ及び１６Ｂの上端部と一体化されている。
【００２３】
蛇腹２８の上端周縁は固着リング３１によって蛇腹支持部材２５に固着されると共に、蛇腹２８の下端周縁が固着リング３２によって蛇腹支持基板２７に固着される。
【００２４】
ピストン１６Ａ及び１６Ｂには、それぞれ貫通させるように間に弦巻状スプリング３３Ａ及び３３Ｂを配設してなる一対のスプリング受け板３４及び３５が設けられている。
【００２５】
下側のスプリング受け板３５はピストン１６Ａ及び１６Ｂに固着されているのに対して、これと対向するように上側に設けられたスプリング受け板３４は蛇腹支持部材２５と一体にピストン１６Ａ及び１６Ｂに沿って上下動できるようになされている。
【００２６】
かくしてスプリング３３Ａ及び３３Ｂが蛇腹支持部材２５及びスプリング受け板３４によって圧縮力を受けたとき、蛇腹２８は下方向に縮むような動作をするのに対して、スプリング３３Ａ及び３３Ｂが伸長動作をすることによりスプリング受け板３４及び蛇腹支持部材２５を上方に移動させたとき、蛇腹２８が元の復帰状態に伸びる。
【００２７】
蛇腹２８が縮んだとき当該蛇腹２８内の空気が押込パイプ２６内の空間を通って泡発生混合室４Ｃとの間に形成されている閉塞板４Ｄに穿設された空気供給孔４Ｅを通じて泡発生混合室４Ｃに泡発生用空気として送り込む。
【００２８】
すなわち、ユーザが溶液泡吐出部４を下方に押し込むことにより押込んで押込パイプ２６をスプリング１９Ａ及び１９Ｂ並びに３３Ａ及び３３Ｂに抗して下方向に動作させたとき（これを下動動作と呼ぶ）、又はスプリング１９Ａ及び１９Ｂ並びに３３Ａ及び３３Ｂの弾発力によって押込パイプ２６を上方向に動作させたとき（これを復帰動作と呼ぶ）、ピストン１６Ａ及び１６Ｂからの溶液の供給及び蛇腹２８からの泡発生用空気の供給を行う。
【００２９】
この実施の形態の場合、蛇腹支持部材２５とピストン１６Ａ及び１６Ｂ間には、図３に示すような上下動用のクリック機構４０Ａ及び４０Ｂが設けられている。
【００３０】
クリック機構４０Ａ（４０Ｂ）は、蛇腹支持部材２５の厚みを通ってピストン１６Ａ（１６Ｂ）を貫通させる貫通孔４１Ａ（４１Ｂ）を有し、当該貫通孔４１Ａ（４１Ｂ）において、ピストン１６Ａ（１６Ｂ）の蛇腹支持部材２５と対向する面にクリック用突起４２Ａ（４２Ｂ）を突出させると共に、蛇腹支持部材２５のピストン１６Ａ（１６Ｂ）と対向する面にクリック用突起４３Ａ（４３Ｂ）を突出させている。
【００３１】
クリック用突起４２Ａ（４２Ｂ）とクリック用突起４３Ａ（４３Ｂ）とは、溶液泡吐出部４が押し込み操作されていない静止状態にあるとき、図３（Ａ）に示すように、蛇腹支持部材２５のクリック用突起４３Ａ（４３Ｂ）が復帰高さレベルＬＶ１の位置にあり、その先端下面にピストン１６Ａ（１６Ｂ）のクリック用突起４２Ａ（４２Ｂ）の先端上面が係合した状態にある。
【００３２】
この状態において、溶液泡吐出部４が下方に押し込まれると、押込パイプ２６の下端部に固着されている蛇腹支持部材２５が、図３（Ｂ）に示すように、復帰高さレベルＬＶ１から下方のピストン下限高さレベルＬＶ２まで下降して行く。
【００３３】
このとき蛇腹支持部材２５のクリック用突起４３Ａ（４３Ｂ）にピストン１６Ａ（１６Ｂ）のクリック用突起４２Ａ（４２Ｂ）が係合していることにより、ピストン１６Ａ（１６Ｂ）が一緒にピストン下限高さレベルＬＶ２まで下降する。
【００３４】
ピストン１６Ａ（１６Ｂ）はシリンダ１５Ａ（１５Ｂ）の下限位置まで移動したときシリンダ１６Ａ及び１６Ｂ内の第１液（第２液）が溶液泡吐出部４の泡発生混合室４Ｃに吐出される。
【００３５】
これと共に、蛇腹支持部材２５がピストン下限高さレベルＬＶ２まで下降することによりスプリング受け板３５が蛇腹支持基板２７に当接する位置まで下降する。
【００３６】
この動作によって蛇腹２８は、復帰高さレベルＬＶ１からピストン下限高さレベルＬＶ２に相当する分だけ圧縮されることにより、内部の空気がクリック機構４０Ａ（４０Ｂ）の貫通孔４１Ａ（４１Ｂ）を通って上方に流れて空気供給孔４Ｅから、泡発生用空気として、泡発生混合室４Ｃに供給される。
【００３７】
これに続いてその後も溶液泡吐出部４が下方に押し込まれると、図３（Ｃ）に示すように、蛇腹支持部材２５が押込パイプ２６によってさらに押し込まれることにより、そのクリック用突起４３Ａ（４３Ｂ）がピストン１６Ａ（１６Ｂ）のクリック用突起４２Ａ（４２Ｂ）を乗り越えて当該クリック用突起４２Ａ（４２Ｂ）との係合を脱する状態になり、これにより蛇腹支持部材２５はさらに下方に降下して行く。
【００３８】
このときの状態は、ピストン１６Ａ（１６Ｂ）が下限位置にまで降下し終わった状態にあるにもかかわらず、蛇腹支持部材２５がさらに下方に移動して行く状態にあり、これにより蛇腹２８がさらに圧縮して行くことにより、この圧縮された分の空気が蛇腹２８から泡発生混合室４Ｃに供給されることになる。
【００３９】
この結果、泡発生混合室４Ｃにおいては、ピストン１６Ａ（１６Ｂ）からの第１液（第２液）の供給が無い状態で、蛇腹２８からの空気だけが供給される状態になる。
【００４０】
その後、やがてピストン１６Ａ及び１６Ｂに固着されているスプリング受け板３５が蛇腹支持基板２７に当接してピストン１６Ａ及び１６Ｂが停止した状態になると、図３（Ｄ）に示すように、蛇腹支持部材２５のクリック用突起４３Ａ（４３Ｂ）が蛇腹下限高さレベルＬＶ３の位置に停止した状態になる。
【００４１】
かくしてシリンダ１５Ａ及び１５Ｂから泡発生混合室４Ｃへの第１液及び第２液の供給動作と、蛇腹２８の空気の泡発生混合室４Ｃへの供給動作が終了する。
【００４２】
この状態において、ユーザが溶液泡吐出部４に対する押し下げ操作をやめると、シリンダ１５Ａ及び１５Ｂのスプリング１９Ａ及び１９Ｂの弾発力によってピストン１６Ａ及び１６Ｂが上方に押し戻される。
【００４３】
このときシリンダ１５Ａ及び１５Ｂのスプリング１９Ａ及び１９Ｂが蛇腹２８のスプリング３３Ａ及び３３Ｂより強い弾発力をもっているので、スプリング３３Ａ及び３３Ｂを圧縮した状態のまま蛇腹支持部材２５を押し上げる。
【００４４】
かくして図３（Ｅ）に示すように、蛇腹支持部材２５及びピストン１６Ａ（１６Ｂ）は一緒に上方に復帰して行くことにより、クリック用突起４３Ａ（４３Ｂ）とクリック用突起４２Ａ（４２Ｂ）はほぼ同じ間隔を保った状態で上方に復帰して行く。
【００４５】
やがてピストン１６Ａ及び１６Ｂが上方の静止位置に復帰すると、図３（Ｆ）に示すように、そのクリック用突起４２Ａ（４２Ｂ）が復帰高さレベルＬＶ１の高さに復帰した状態で停止する。
【００４６】
このときピストン１６Ａ及び１６Ｂに固着されているスプリング受け板３５が停止するのに対して、スプリング３３Ａ及び３３Ｂの弾発力によってスプリング受け板３４、従って蛇腹支持部材２５が上方に復帰動作を続けることにより、蛇腹支持部材２５のクリック用突起４３Ａ（４３Ｂ）が静止しているピストン１６Ａ及び１６Ｂのクリック用突起４２Ａ（４２Ｂ）に近づいて行く。
【００４７】
やがて、蛇腹２８のスプリング３３Ａ及び３３Ｂが伸長した元の状態に戻ったとき、図３（Ｇ）に示すように、蛇腹支持部材２５のクリック用突起４３Ａ（４３Ｂ）がすでに復帰高さレベルＬＶ１に復帰しているクリック用突起４２Ａ（４２Ｂ）を乗り越えてその先端上面に先端下面を係合させた復帰状態になるように復帰高さレベルＬＶ１に復帰する。
【００４８】
かくして図３（Ｆ）の状態を経て図３（Ｇ）に蛇腹支持部材２５が復帰する間に、蛇腹２８はスプリング１９Ａ及び１９Ｂの弾発力と、スプリング３３Ａ及び３３Ｂの弾発力とによって圧縮状態から伸長した元の状態にまで復帰し、この間に、蛇腹２８内の空気圧が負圧になることにより、空気吸入部材３６が開いて、空気吸入通路３７を通じて蛇腹２８内に空気を取り込み、これによりユーザが溶液泡吐出部４を押し込む次の操作に備える。
【００４９】
この実施の形態の場合、蛇腹２８内の蛇腹支持部材２５の下面部分に、断面がＬ字状で薄くかつ柔かい例えばゴム材料によって円環状に形成された空気吸入部材３６が設けられ、蛇腹２８内の空気圧が負圧になったとき、当該空気吸入部材３６に隣接するように設けられた空気吸入通路３７から外部の空気が空気吸入部材３６を開いて蛇腹２８内に吸入され、逆に蛇腹２８が圧縮されて圧力が大きくなったとき空気吸入部材３６を閉じて、蛇腹２８内の空気をクリック機構４０Ａ及び４０Ｂの貫通孔４１Ａ及び４１Ｂを通じて泡発生空気として押込パイプ２６内に供給するようになされている。
【００５０】
溶液泡吐出部４は、図４に示すように、下部に空気供給部５の押込パイプ２６と連結する閉塞板４Ｄを有する円筒体４Ｆ内に泡発生混合室４Ｃを形成し、その先端に吐出口４Ａを設けた構成を有する。
【００５１】
円筒体４Ｆの閉塞板４Ｄより先端側には、多孔性合成樹脂材料で構成された泡発生部材４Ｇが設けられ、その後端から後方に延長する支持棒４Ｈが尾栓４Ｉに連結されることにより、尾栓４Ｉと共に泡発泡部材４Ｇを取り外して洗浄したり交換したりすることができるようになされている。
【００５２】
この実施の形態の場合、閉塞板４Ｄの中央部には第１液の導出チューブ１８Ａが結合される第１液供給孔４Ｊ１と、第２液の導出チューブ１８Ｂに結合される第２液供給孔４Ｊ２とが左右に並ぶように設けられていると共に、当該第１液及び第２液供給孔４Ｊ１及び４Ｊ２の後端側位置に空気供給孔４Ｅが設けられている。
【００５３】
これにより、シリンダ１５Ａ及び１５Ｂからピストン１６Ａ及び１６Ｂを介して第１液及び第２液供給孔４Ｊ１及び４Ｊ２に第１液及び第２液が供給されたとき、これと同時に空気供給孔４Ｅから供給される泡発生用空気によって、第１液及び第２液の混合と共に泡発生空気によって泡発生部材４Ｇにおいて溶液泡を発生させながら吐出口４Ａから吐出させる。
【００５４】
以上の構成において、ユーザが静止状態にある溶液泡吐出装置１の溶液泡吐出部４を押し込むように操作すると、空気供給部５の押込パイプ２６が溶液容器部２の方向に押し込み降下されることによりシリンダ１５Ａ及び１５Ｂに対してピストン１６Ａ及び１６Ｂが下動動作し、これにより、シリンダ１５Ａ及び１５Ｂに第１液容器１１Ａ及び第２液容器１１Ｂから吸入チューブ２１Ａ及び２１Ｂを通じて吸入されていた第１液及び第２液がピストン１６Ａ及び１６Ｂの溶液案内通路１７Ａ及び１７Ｂを通り、さらに導出チューブ１８Ａ及び１８Ｂを通って泡発生混合室４Ｃの円筒体４Ｆに供給される。
【００５５】
これと共に、ピストン１６Ａ及び１６Ｂと一緒に蛇腹支持部材２５が下動動作をすると（図３（Ａ）〜（Ｂ））、蛇腹２８内の空気がクリック機構４０Ａ及び４０Ｂの貫通孔４１Ａ（４１Ｂ）を通って空気供給孔４Ｅから泡発生混合室４Ｃに供給される。
【００５６】
このとき泡発生混合室４Ｃで混合された第１液及び第２液が、供給された泡発生用空気と一緒に泡発生部材４Ｇを通過するとき泡化されて吐出口４Ａから吐出される。
【００５７】
かくしてユーザは、吐出操作部６と溶液泡吐出部４とを片手で操作しながら、溶液泡吐出部４の吐出口４Ａから吐出される溶液泡を頭髪に向けて吐出させる。
【００５８】
その際に、第１液及び第２液は溶液泡吐出部４にほぼ同時に供給されると共に、泡発生用空気と一緒に吐出口４Ａから吐出されることにより、混合溶液の酸化剤との混合及び発色作用の条件を十分満足させながら第１液及び第２液の混合溶液を一様にかつ安全に頭髪に対して塗布することができる。
【００５９】
その塗布量はユーザが１回の塗布操作に用いるだけの液量であるので、余分な第１液及び第２液は第１液容器１１Ａ及び第２液容器１１Ｂ内に残すことができる。
【００６０】
かくして溶液容器部２内に残った溶液は次の塗布操作に無駄なく用いることができる。
【００６１】
この実施の形態の場合、塗布操作しないときには、ユーザが溶液泡吐出部４の吐出口４Ａに対して封止栓４Ｌを差し込むことにより、泡発生混合室４Ｃを泡発生部材４Ｇを含めて全体として外気から封止できるようになされており、これによりたとえ泡発生部材４Ｇに溶液の残渣が残ったとしてもこれが乾燥して目づまりを生じさせないようになされている。
【００６２】
またこの実施の形態の場合、溶液容器部２は口部１３Ａ及び１３Ｂにおいて、空気供給部５の蛇腹２８を収納する円筒状筐体２８Ａの下端部に隙間をもつようにねじ結合されており、シリンダ１５Ａ及び１５Ｂに第１及び第２溶液を吸入するときには、当該吸入した液量に対応する外気を、当該ねじ結合部を通して補充することにより、溶液の吸入動作を円滑に行わせるようになされている。
【００６３】
同様にして、蛇腹２８の筐体２８Ａの上端部が、押込パイプ２６を摺動自在に支持する吐出操作部６の下端部にねじ結合されており、蛇腹２８が伸長動作するときには、押込パイプ２６と吐出操作部６との間の隙間を通して外気を蛇腹２８の筐体２８Ａ内に吸入するようになされている。
【００６４】
以上の構成によれば、発色反応が必要な２液方式の染毛剤について、ユーザが一般需要者であっても手を汚すことなく、簡便な操作で発色作用を損なうことなく安全に頭髪を一様に染毛できるような染毛用具を実現できる。
【００６５】
（２）第２の実施の形態
図５及び図６は第２の実施の形態を示すもので、図１ないし図４との対応部分に同一符号を付して示すように、図１の場合は溶液泡吐出部４内に泡発生部材４Ｇを設けると共に、吐出口４Ａに封止栓４Ｌを差し込んだ構成を有するのに対し、これに代え、図５の場合は押込パイプ２６内に泡発生部材６Ａを設けると共に、溶液泡吐出部４内に開閉部材５１を設けるようにする。
【００６６】
溶液泡吐出部４は、図６（Ａ）に示すように、先端に吐出口４Ａが形成された円筒体４Ｆ内に円筒形状の開閉部材５１が設けられており、押込パイプ２６内に設けられた溶液泡発生部６と連通する連通口４Ｋと吐出口４Ａとの連通状態を選択できるようになされている。
【００６７】
すなわち、開閉部材５１Ｃの連通口４Ｋに対応する位置に開口５１Ａが穿設され、円筒体４Ｆの吐出口４Ａとは反対側端部から後方に突出するつまみ５１Ｂをユーザが回転操作することにより、開口５１Ａを連通口４Ｋに位置合せしたとき、溶液泡発生部６から発生された溶液泡を吐出口４Ａに連通させることにより、溶液泡吐出部４から溶液泡を吐出できる状態に調整できる。
【００６８】
これに対して、図６（Ｂ）に示すように、ユーザがつまみ５１Ｂを回転操作することにより、開口５１Ａを連通口４Ｋと連通させない位置（例えば１８０°回転した位置）に開閉部材５１が位置決めされたとき、溶液泡発生部４から供給される溶液泡が開閉部材５１によって閉塞されることにより、連通口４Ｋが吐出口４Ａから遮蔽された状態に調整される。
【００６９】
この実施の形態の場合、図６（Ｃ）に示すように、開閉部材５１の外周面には、Ｏリングとして作用するシール突起５１Ｃが形成され、これにより溶液泡吐出部４の円筒体４Ｆの内周面と開閉部材５１の外周面との間の空間を通って吐出口４Ａと連通口４Ｋとの間に漏れが生じないようになされている。
【００７０】
溶液泡発生部６は、押込パイプ２６の先端部分に内部に泡発生部材６Ａを設けてなり、下端を底板６Ｂによって閉塞した円筒形状の保持部材６Ｃを嵌め込んだ構成を有する。
【００７１】
保持部材６Ｃの底板６Ｂには、図６（Ｄ）に示すように、図４の閉塞板４Ｄと同様に、第１液及び第２液のピストン１６Ａ及び１６Ｂから導出された導出チューブ１８Ａ及び１８Ｂが連結される第１液供給孔６Ｄ１及び第２液供給孔６Ｄ２と、泡発生用空気を蛇腹２８から供給される空気供給孔６Ｅとを有する。
【００７２】
かくして、第１液供給孔６Ｄ１及び第２液供給孔６Ｄ２から供給された第１液及び第２液と、空気供給孔６Ｅから供給された泡発生用空気とが、底板６Ｂと泡発生部材６Ａとの間の空間において混合された後泡発生部材６Ａを通過することにより溶液泡を発生させて、溶液泡吐出部４の連通口４Ｋ及び開閉部材５１の開口５１Ａを通って開閉部材５１から溶液泡吐出部４の吐出口４Ａへ吐出させる。
【００７３】
以上の構成によれば、ユーザが溶液泡吐出部４を押込み操作したとき、図１ないし図４について上述したと同様にして、ピストン１６Ａ及び１６Ｂ並びに蛇腹２８の供給動作によって溶液泡吐出部４の吐出口４Ａから、簡便な操作で一様な溶液泡を吐出させることができる。
【００７４】
かくするにつき、ユーザが溶液泡の吐出操作をやめるときには、開閉部材５１のつまみ５１Ｂを回転操作して、その開口５１Ａを連通口４Ｋに連通させない位置に位置合せすることにより（図６（Ｂ））、溶液泡発生部６を吐出口４Ａの外気に当てないようにでき、これによりたとえ泡発生部材６Ａに溶液の残渣が残ったとしても、これを乾かせないようにし、これにより目づまりを生じさせないようにできる。
【００７５】
その結果、第１液容器１１Ａ及び第２液容器１１Ｂの溶液を、ユーザが必要とする分だけ繰り返し使うことができる簡便な溶液泡吐出装置１を実現できる。
【００７６】
（３）第３の実施の形態
図７ないし図９は第３の実施の形態を示すもので、図５との対応部分に同一符号を付して示す。
【００７７】
図７の場合、第１液容器１１Ａ及び第２液容器１１Ｂに配設されたシリンダ１５Ａ及び１５Ｂのピストン１６Ａ及び１６Ｂの先端部は、蛇腹２８内において連結部材５３によって一体に結合されている。
【００７８】
また、ピストン１６Ａ及び１６Ｂの先端には、可撓性材料でなる導出パイプ５４Ａ及び５４Ｂが連結され、当該導出パイプ５４Ａ及び５４Ｂが押込パイプ２６の管内を通って、図５及び図６の溶液泡発生部６と同様の構成を有する溶液泡発生部６の底板６Ｂに設けられた第１液及び第２液供給孔６Ｄ１及び６Ｄ２に連結されている。
【００７９】
押込パイプ２６の下方端内壁には、円筒状の案内溝５５が形成され、この案内溝５５に円筒状上下動部材５６が上下動できるように嵌め込まれている。
【００８０】
この上下動部材５６の下端面には連結部材５３が固着され、これにより上下動部材５６が上下動したとき、シリンダ１５Ａ及び１５Ｂのピストン１６Ａ及び１６Ｂが一緒に上下動するようになされている。
【００８１】
この実施の形態の場合、スプリング受け板３４と蛇腹支持基板２７との間に弦巻ばねでなる蛇腹復帰用のスプリング５７が設けられ、このスプリング５７によって圧縮された状態の蛇腹２８を伸長した元の状態に復帰させることができるようになされている。
【００８２】
この実施の形態の場合、押込パイプ２６には２つの支点部材５８Ａ及び５８Ｂが設けられ、当該支点部材５８Ａ及び５８Ｂに対して、図８に示すように、外部筐体５９の支点６０を中心としてハンドル６１が引き付けられたとき、支点部材５８Ａ及び５８Ｂを介して押込パイプ２６を下動動作させるようになされている。
【００８３】
以上の構成において、ユーザがハンドル６１を引くことによって押込パイプ２６を下動動作させたとき、図９に示すように、押込パイプ２６と上下動部材５６との間に設けられたクリック機構６２によって、押込パイプ２６の押込み動作に応じてシリンダ１５Ａ及び１５Ｂのピストン１６Ａ及び１６Ｂの圧縮動作と蛇腹２８の圧縮動作とを連動動作させる。
【００８４】
溶液泡吐出部４が静止状態にあるとき、図９（Ａ）に示すように、押込パイプ２６のクリック用突起２６Ｘが上下動部材５６のクリック用突起５６Ｘと係合した状態で復帰高さレベルＬＶ１１の位置にある。
【００８５】
この状態からユーザがハンドル６１を介して押込パイプ２６を下方に移動させる下動動作をさせると、図９（Ｂ）に示すように、クリック用突起２６Ｘ及び５６Ｘが係合状態を維持したまま、押込パイプ２６の押込み動作と一緒に上下動部材５６が下動動作する。
【００８６】
このときシリンダ１５Ａ及び１５Ｂのピストン１６Ａ及び１６Ｂは上下動部材５６が下動動作したとき連結部材５３が下動動作することにより、ピストン１６Ａ及び１６Ｂがシリンダ１５Ａ及び１５Ｂ内の溶液を圧縮する。
【００８７】
このときシリンダ１５Ａ及び１５Ｂ内の溶液はピストン１６Ａ及び１６Ｂから導出パイプ５４Ａ及び５４Ｂを通って溶液泡発生部６に供給される。
【００８８】
これと共に、上下動部材５６の下動動作によって蛇腹支持部材２５が下動動作することにより蛇腹２８を圧縮することにより当該蛇腹２８内の空気が空気供給孔６Ｅを通って溶液泡発生部６に供給される。
【００８９】
これにより、第１液容器１１Ａ及び第２液容器１１Ｂから供給された第１液及び第２液が溶液泡発生部６において混合されると共に、供給された泡発生用空気と一緒に泡発生部材６Ａから溶液泡になって溶液泡吐出部４の吐出口４Ａから吐出される。
【００９０】
かくして図９（Ｂ）に示すように、連結部材５３が蛇腹支持基板２７に当接したシリンダ下限レベルＬＶ１２まで押込パイプ２６が下動動作すると、これ以上上下動部材５６は下降できずに停止するが、ユーザがさらにハンドル６１を操作して押込パイプ２６を押し込むと、図９（Ｃ）に示すように、押込パイプ２６のクリック用突起２６Ｘが上下動部材５６のクリック用突起５６Ｘを乗り越えてさらに降下して行く。
【００９１】
このとき当該押込パイプ２６は案内溝５５によって上下動部材５６の周辺に沿って下動動作できることにより、蛇腹支持部材２５を介して蛇腹２８をさらに圧縮して行く。
【００９２】
このときはすでにシリンダ１５Ａ及び１５Ｂから溶液泡発生部６への溶液の供給はないので、供給された空気だけが泡発生部材６Ａを通過することにより泡発生部材６Ａ内に残っていた泡成分が吐出口４Ａから外部に吐出される。
【００９３】
その後、図９（Ｄ）に示すように、押込パイプ２６の案内溝５５の上端面５５Ａが上下動部材５６の上端面に当接すると、押込パイプ２６はそれ以上下動動作できなくなることにより、そのクリック用突起２６Ｘが押込パイプ下限レベルＬＶ１３に停止する。
【００９４】
かくしてユーザによる１回分の溶液泡吐出操作が終了し、ユーザがハンドル６１に対する引付け操作をやめると、シリンダ１５Ａ及び１５Ｂ、スプリング１９Ａ及び１９Ｂの弾発力によってピストン１６Ａ及び１６Ｂ、従って蛇腹支持部材２５が元の位置に復帰する図７（Ｃ）の状態を通って図７（Ｂ）の状態に移行する。
【００９５】
このとき蛇腹２８内のスプリング５７も弾発力を発揮して蛇腹支持部材２５を押し上げることにより、蛇腹２８が図７（Ａ）の元の静止状態に戻る。
【００９６】
このように上下動部材５６がシリンダ下限レベルＬＶ１２で停止した後（図７（Ｂ））引き続き押込パイプ２６が下動動作するが（図７（Ｃ）〜（Ｄ））、かかる動作は導出パイプ５４Ａ及び５４Ｂが押込パイプ２６の下端部に設けた透孔２６Ａ及び２６Ｂから手歩部に引き込まれていることによって変形動作することにより実現できる。
【００９７】
この実施の形態の場合、押込パイプ２６の下動動作は支点部材５８Ａ及び５８Ｂについて設けられたハンドル６１を操作することにより行われるので、蛇腹２８の筐体２８Ａの上端部には蓋体６２が隙間を保ちながらねじ込み保持されており、これにより外気の蛇腹２８の内部への導入ができるようになされている。
【００９８】
図７ないし図９の構成によれば、ユーザがハンドル６１を引付け操作するだけで、シリンダ１５Ａ及び１５Ｂから溶液泡発生部６に第１液容器１１Ａ及び第２液容器１１Ｂの溶液を必要な量だけ供給して混合すると共に、蛇腹２８から供給される空気によって泡発生部材６Ａにおいて発生された泡を開閉部材５１を通って吐出口４Ａに吐出することができると共に、シリンダ１５Ａ及び１５Ｂからの供給が終了した後に蛇腹２８内の空気をさらに泡発生部材６Ａに流すことにより、泡発生部材６Ａ内に発生された泡を残すことなく放出させることができる。
【００９９】
かくして取扱いが便利でかつ完全に一様な溶液を塗布できる溶液泡吐出装置１を実現できる。
【０１００】
（４）第４の実施の形態
図１０及び図１１は第４の実施の形態を示すもので、図７ないし図９との対応部分に同一符号を付して示すように、溶液供給部３を、蛇腹支持部材２５と連動動作する連結チューブ６５Ａ及び６５Ｂと、導出パイプ６６とで構成したものである。
【０１０１】
この場合、溶液供給部３は、押込パイプ２６及び蛇腹２８内において、溶液泡発生部６の底板６Ｂと第１液及び第２液用のピストン１６Ａ及び１６Ｂの連結部材５３との間に、可撓性合成樹脂材料で構成された連結チューブ６５Ａ及び６５Ｂと、合成樹脂材料の円管状の導出パイプ６６とが設けられている。
【０１０２】
導出パイプ６６は、断面円形の管内に形成された隔壁６６Ｃによって断面半円形状に分離された第１液及び第２液用の溶液通路６６Ａ及び６６Ｂが形成され、当該溶液通路６６Ａ及び６６Ｂの下端部が、下方端が連結部材５３においてピストン１６Ａ及び１６Ｂにそれぞれ連結された連結チューブ６５Ａ及び６５Ｂに結合されている。
【０１０３】
溶液泡発生部６の底板６Ｂには、図１１に示すように、溶液通路６６Ａ及び６６Ｂとを連通する連結孔６ＡＸ及び６ＢＸが穿設され、当該連結孔６ＡＸ及び６ＢＸを通って溶液通路６６Ａ及び６６Ｂから供給される第１液及び第２液を溶液泡発生部６に導入するようになされている。
【０１０４】
導出パイプ６６の下端面には、その開口を閉塞する閉塞板６６Ｄが設けられ、その下面に円筒状の案内管部材６６Ｅが下方に向けて突設され、導出パイプ６６が下方に降下したとき、当該案内管部材６６Ｅが蛇腹支持基板２７から上方に突出する棒状案内子２７Ａに挿入して案内されるようになされている。
【０１０５】
連結チューブ６５Ａ及び６５Ｂは導出パイプ６６が下方に下降して来たとき、連結部材５３が蛇腹支持基板２７に当接するまでの間は、変形をせずに導出パイプ６６から与えられる押込み力を連結部材５３に伝達する程度の剛性を有し、連結部材５３が蛇腹支持基板２７と当接してそれ以上下方に移動できない状態になったとき、導出パイプ６６の下降動作に応じて外方に変形することにより、導出パイプ６６の下降動作を許容させるようになされている。
【０１０６】
この実施の形態の場合、押込パイプ２６の下端面の開口は蛇腹２８内の空間に連通しており、これにより蛇腹２８の圧縮動作時に内部の空気が、図１１に示すように溶液泡発生部６の底板６Ｂに設けられた透孔６ＣＸ及び６ＤＸを通って溶液泡発生部６に供給するようになされている。
【０１０７】
また、この実施の形態の場合、押込パイプ２６と導出パイプ６６との間には、図９において上述したような上下動用のクリック機構６２のようなクリック機構は設けられておらず、押込パイプ２６に押下げ力が与えられて下動動作したときこれと一緒に導出パイプ６６が下動動作し、この下動動作時に押込パイプ２６に対する押下げ力が解除されて復帰動作をしたときこれと一緒に導出パイプ６６が復帰動作をするようになされている。
【０１０８】
以上の構成において、ユーザがハンドル６１を操作することにより支点５８Ａ及び５８Ｂを介して押込パイプ２６を下方に押し込んだとき、当該押込パイプ２６の下動動作に従って導出パイプ６６及び連結チューブ６５Ａ及び６５Ｂが下動動作することにとよりピストン１６Ａ及び１６Ｂが圧縮動作し、これによりシリンダ１５Ａ及び１５Ｂの溶液がピストン１６Ａ及び１６Ｂから連結チューブ６５Ａ及び６５Ｂを通り、さらに導出パイプ６６の溶液通路６６Ａ及び６６Ｂ従って連結孔６ＡＸ及び６ＢＸを通って溶液泡発生部６に供給される。
【０１０９】
これと同時に、押込パイプ２６の下動動作に従って蛇腹支持部材２５が下動動作することにより、蛇腹２８が圧縮されて行き、これにより蛇腹２８内の空気が透孔６ＣＸ及び６ＤＸを通って溶液泡発生部６に供給される。
【０１１０】
かくして溶液泡発生部６において、連結孔６ＡＸ及び６ＢＸから供給された第１液及び第２液と、透孔６ＣＸ及び６ＤＸから供給された空気とが混合されて泡発生部材６Ａにおいて溶液泡を発生させ、当該溶液泡が開閉部材５１の開口５１Ａを通って溶液泡吐出部４の吐出口４Ａから吐出される。
【０１１１】
やがて、押込パイプ２６の押込み動作によってピストン１６Ａ及び１６Ｂに結合されている連結部材５３が蛇腹支持基板２７に当接してその下動動作が停止した状態になる。
【０１１２】
しかしながら押込パイプ２６がさらに押込み動作をされると、連結チューブ６５Ａ及び６５Ｂがその可撓性に基づいて変形することにより、導出パイプ６６の下端に接続された案内管部材６６Ｅが蛇腹支持基板２７に設けられた案内子２７Ａに案内されながらさらに下動動作を続ける。
【０１１３】
これにより蛇腹２８は、さらに圧縮動作を続けることにより、内部の空気を溶液泡発生部６に供給し続ける。
【０１１４】
このとき溶液通路６６Ａ及び６６Ｂからの第１液及び第２液の供給は停止されているので、泡発生部材６Ａは内部に残留している溶液を透孔６ＣＸ及び６ＤＸから供給される空気によって開閉部材５１の開口５１Ａに向けて吹き飛ばす。
【０１１５】
かくして１回の吐出動作が終了し、ユーザがハンドル６１に対する操作力を解除するとシリンダ１５Ａ及び１５Ｂに設けられたスプリング１９Ａ及び１９Ｂの強い弾発力によってピストン１６Ａ及び１６Ｂを上方に復帰動作させる。
【０１１６】
このとき連結チューブ６５Ａ及び６５Ｂもその可撓性により変形した状態から元の形状に戻るような動作をし、かくして導出パイプ６６従って押込パイプ２６が復帰位置に戻る。
【０１１７】
このとき蛇腹２８は蛇腹支持部材２５の復帰動作によって膨らんだ状態に戻る。
【０１１８】
以上の構成によれば、可撓性を有する連結チューブ６５Ａ及び６５Ｂの変形動作に基づいて、押込パイプ２６の初期の下動動作に基づいて、シリンダ１５Ａ及び１５Ｂから供給される第１液及び第２液の混合動作が溶液泡発生部６内で行われると同時に、蛇腹２８の圧縮動作に基づく空気の供給によって泡発生部材６Ａから溶液泡が溶液泡吐出部４に供給される。
【０１１９】
これによりユーザは吐出口４Ａから吐出される溶液泡を用いて頭髪に対する毛染め操作を行うことができる。
【０１２０】
これに加えて、押込パイプ２６の後半の押込み操作によって第１液及び第２液の供給を停止した状態で蛇腹２８内の空気を泡発生部材６Ａに供給することにより、泡発生部材６Ａ内に残留する混合溶液を吹き飛ばすことができる。
【０１２１】
ここで、ユーザは、塗布操作を止めたとき、開閉部材５１を回転操作することにより、溶液泡発生部６と吐出口４Ａとの間の連通を遮蔽すれば、泡発生部材６Ａの乾燥を防ぐ状態で、その後の毛染め操作に備えることができる。
【０１２２】
（５）第５の実施の形態
図１２は第５の実施の形態を示すもので、図１０及び図１１との対応部分に同一符号を付して示す。
【０１２３】
図１０の場合は、ピストン１６Ａ及び１６Ｂの上端が連結チューブ６５Ａ及び６５Ｂを介して導出パイプ６６の下端部の溶液通路６６Ａ及び６６Ｂに連結されていたのに対して、この実施の形成の場合は、これに代え、導出パイプ６６の下端を閉塞するように設けられた連結管部７７によって導出パイプ６６に直結されている。
【０１２４】
これにより、この実施の形態の場合は、図１０のように、シリンダ１５Ａ及び１５Ｂによる第１液及び第２液の供給動作が終った後の蛇腹２８による空気の供給動作は行わないようになされている。
【０１２５】
またこの実施の形態の場合は、押込パイプ２６の押込み動作は、図１０の場合のようにハンドル６１及び支点部材５８Ａ及び５８Ｂによって行うのではなく、これに代え、ユーザが溶液泡吐出部４を押込むことにより行うようになされている。
【０１２６】
これに対して、この実施の形態の場合は、シリンダ１５Ａ及び１５Ｂの下方の逆止弁７１Ａ及び７１Ｂには、シリンダ１５Ａ及び１５Ｂの中心線上において、上端をピストン１６Ａ及び１６Ｂの溶液案内通路１７Ａ及び１７Ｂに挿入された支持棒７２Ａ及び７２Ｂが固着されている。
【０１２７】
支持棒７２Ａ及び７２Ｂの外側には、ピストン１６Ａ及び１６Ｂと一緒に上下動する円管状の補助管７３Ａ及び７３Ｂが設けられ、その先端に上方の逆止弁７４Ａ及び７４Ｂが弱い弾発力のスプリング７５Ａ及び７５Ｂによって下方に押されることにより、補助管７３Ａ及び７３Ｂの上方開口を閉塞できるようになされている。
【０１２８】
かくしてピストン１６Ａ及び１６Ｂが強い弾発力をもつスプリング１９Ａ及び１９Ｂを圧縮しながら下動動作したとき、シリンダ１５Ａ及び１５Ｂ内の液圧が高くなることにより、下方の逆止弁７１Ａ及び７１Ｂが閉塞動作する。
【０１２９】
このとき補助管７３Ａ及び７３Ｂの下端鍔部７３ＡＸ及び７３ＢＸはピストン１６Ａ及び１６Ｂの下端面に当接しながらピストン１６Ａ及び１６Ｂと一緒に下動動作するのに対して、上方の逆止弁７４Ａ及び７４Ｂは溶液の流れによって押し上げられることにより、シリンダ１５Ａ及び１５Ｂ内の溶液が補助管７３Ａ及び７３Ｂを通り、さらに逆止弁７４Ａ及び７４Ｂを通って上方に流れる。
【０１３０】
このとき補助管７３Ａ及び７３Ｂ内を通って流れる溶液は押込パイプ２６内に設けられた導出パイプ６６の溶液通路６６Ａ及び６６Ｂを通り、底板６Ｂに穿設された連結孔６ＡＸ及び６ＢＸ（図１１）を通って溶液泡発生部６に供給される。
【０１３１】
図１２の構成において、ユーザが溶液泡吐出部４を下方に押圧操作することにより、押込パイプ２６が下動動作したとき、連結管部７７を介してピストン１６Ａ及び１６Ｂが下動動作する。
【０１３２】
このときシリンダ１５Ａ及び１５Ｂ内の溶液は、ピストン１６Ａ及び１６Ｂの下動動作によって補助管７３Ａ及び７３Ｂを通って逆止弁７４Ａ及び７４Ｂの弱いスプリング７５Ａ及び７５Ｂを押し上げながら押込パイプ２６内の導出パイプ６６の溶液通路６６Ａ及び６６Ｂに供給される。
【０１３３】
かくして溶液通路６６Ａ及び６６Ｂに供給された溶液は、泡発生部材６Ａの手前において蛇腹２８から供給される空気と一緒に混合されて泡発生部材６Ａを通過し、これにより溶液泡吐出部４の開閉部材５１を通って吐出口４Ａから溶液泡として吐出される。
【０１３４】
かかる吐出操作が終わってユーザが溶液泡吐出部４に対する押圧をやめると、シリンダ１５Ａ及び１５Ｂの強い弾発力のスプリング１９Ａ及び１９Ｂによってピストン１６Ａ及び１６Ｂが復帰動作するが、このときシリンダ１５Ａ及び１５Ｂ内の液圧が低下することにより、下方の逆止弁７１Ａ及び７１Ｂが開くと共に、上方の逆止弁７４Ａ及び７４Ｂが弱い弾発力のスプリング７５Ａ及び７５Ｂによって補助管７３Ａ及び７３Ｂの上端開口を閉塞する。
【０１３５】
かくしてシリンダ１５Ａ及び１５Ｂには、吸入チューブ２１Ａ及び２１Ｂを通じて第１及び第２の溶液容器１１Ａ及び１１Ｂ内の第１及び第２溶液を吸入して、次のユーザによる溶液吐出部４に対する押圧操作に備える。
【０１３６】
以上の構成によれば、ユーザの溶液吐出部４に対する押圧操作及びその解除によって、第１及び第２溶液容器１１Ａ及び１１Ｂ内の溶液を蛇腹２８の空気を同時に混合しながら溶液泡吐出部４の吐出口４Ａから泡溶液を吐出させることができる。
【０１３７】
かくしてユーザは簡便かつ安全な操作によって頭髪に１回の使用分だけの２液混合液を一様に塗布することができる。
【０１３８】
かくするにつき、上方の逆止弁７４Ａ及び７４Ｂを弱い弾発力のスプリング７５Ａ及び７５Ｂによって補助管７３Ａ及び７３Ｂの開口を閉じるようにしたことにより、溶液泡吐出部４を操作しない不使用時であっても、常にシリンダ１５Ａ及び１５Ｂから溶液が漏れ出さないように確実に封止することができる。
【０１３９】
（６）第６の実施の形態
図１３は第６の実施の形態を示すもので、図１との対応部分に同一符号を付して示す。
【０１４０】
この場合の溶液泡吐出装置１は、１液方式の染毛装置として用いられるもので、溶液容器部２として１液容器１１を有すると共に、溶液供給部３として１組のシリンダ１５を有し、当該シリンダ１５内の溶液が溶液案内通路１７を通って溶液泡吐出部４に供給される。
【０１４１】
空気供給部５には蛇腹２８が設けられ、ピストン１６の上端に結合された押込パイプ２６の先端部に形成された溶液泡吐出部４をユーザが押下げ操作をしたとき、ピストン１６が下動動作することによりシリンダ１５内の溶液が溶液案内通路１７を通り、さらに上方の逆止弁２２を通って泡発生部材４Ｇに供給される。
【０１４２】
泡発生部材４Ｇの出口側通路は吐出通路４Ｈを形成し、この吐出通路４Ｈに発生した溶液泡が、取りはずし自在に封止栓４Ｌを設けることができる吐出口４Ａから吐出される。
【０１４３】
この実施の形態の場合、蛇腹支持部材２５は、ピストン１６に設けられた鍔部材８０に取り付けられた空気吸入弁３６を介して蛇腹２８内に外部から空気を吸入できるようになされている。
【０１４４】
以上の構成において、ユーザが溶液泡吐出部４を押圧操作することにより、押込パイプ２６を下動動作させたとき、ピストン１６が下動動作することにより、シリンダ１５内の溶液が溶液案内通路１７を通って泡発生部材４Ｇに供給される。
【０１４５】
これと共に、蛇腹支持部材２５が下動動作することにより、蛇腹２８が圧縮動作し、当該蛇腹２８の内部の空気が押込パイプ２６とピストン１６との間の隙間を通って泡発生部材４Ｇに供給される。
【０１４６】
かくして泡発生部材４Ｇはピストン１６から供給される溶液に蛇腹２８から供給される空気と一緒に混合することにより泡を発生させて当該溶液泡を吐出通路４Ｈを通って吐出口４Ａに吐出させる。
【０１４７】
かくして図１３の溶液泡吐出装置１によれば、ユーザが溶液泡吐出部４を押圧操作したとき１液容器１１から供給される溶液を溶液泡として頭髪に吐出させることができることにより、簡便な操作によって安全かつ一様な染毛剤を頭髪に塗布することができる。
【０１４８】
（７）他の実施の形態
（７−１）上述の第１〜第５の実施の形態においては、第１及び第２の溶液を使用時に混合させるために使用する第１液及び第２液容器１１Ａ及び１１Ｂとして、図１４（Ａ）に示すように、１本のビンの外観形状を有する第１液容器１１Ａ及び第２液容器１１Ｂを背中合せに合せて使用するようにした（図２）が、第１及び第２溶液を保持する溶液容器部２としてはこれに限らず、図１４（Ｂ）に示すように、１本のビン形状を有する容器本体８５Ａに下面を閉塞した円筒形状の補助容器８５Ｂを吊り下げるようにした構成のものを用いても良い。
【０１４９】
ここで補助容器８５Ｂとしては、図１４（Ｃ）に示すように、袋状の補助容器８５ＢＸを用いるようにしても良い。
【０１５０】
また図１４（Ｄ）に示すように、ビンの外観形状を有する筐体８６に、それぞれ第１及び第２溶液を入れた袋状の第１容器８６Ａ及び第１容器８６Ｂを吊り下げるように構成し、当該第１容器８６Ａ及び第２容器８６Ｂからそれぞれ第１及び第２溶液を供給するようにしても良い。
【０１５１】
さらに、図１４（Ｅ）に示すように、１本のビンの外観形状を有する筐体８６に、１つの袋状容器８７を吊り下げ、当該１つの袋状容器８７に仕切８８を設け、この仕切り８８によって分けられた２つの空間をそれぞれ第１容器８９Ａ及び第１容器８９Ｂとして使用するようにしても良い。
【産業上の利用可能性】
【０１５２】
本発明は簡便に使用できる染毛装置に適用できる。
【符号の説明】
【０１５３】
１……溶液泡吐出装置、２……溶液容器部、３……溶液供給部、４……溶液泡吐出部、４Ａ……吐出口、４Ｃ……泡発生混合室、４Ｄ……閉塞板、４Ｅ……空気供給孔、４Ｆ……円筒体、４Ｇ……泡発生部材、４Ｈ……支持棒、４Ｉ……尾栓、５……空気供給部、６……溶液泡発生部、６Ａ……泡発生部材、６Ｂ……底板、６Ｃ……保持部材、６Ｅ……空気供給孔、７……吐出操作部、１１Ａ、１１Ｂ……第１液、第２液容器、１３Ａ、１３Ｂ……口部、１４Ａ、１４Ｂ……蓋部材、１５Ａ、１５Ｂ……シリンダ、１６Ａ、１６Ｂ……ピストン、１７Ａ、１７Ｂ……溶液案内通路、１８Ａ、１８Ｂ……導出チューブ、１９Ａ、１９Ｂ……スプリング、２０Ａ、２０Ｂ……逆止弁、２１Ａ、２１Ｂ……吸入チューブ、２２Ａ、２２Ｂ……逆止弁、２５……蛇腹支持部材、２６……押込パイプ、２７……蛇腹支持基板、２８……蛇腹、２８Ａ……筐体、３１、３２……固着リング、３３Ａ、３３Ｂ……スプリング、３４、３５……スプリング受け板、３６……空気吸入部材、３７……空気吸入通路、４０Ａ、４０Ｂ……クリック機構、４１Ａ、４１Ｂ……貫通孔、４２Ａ、４２Ｂ、４３Ａ、４３Ｂ……クリック用突起、５１……開閉部材、５１Ａ……開口、５１Ｂ……つまみ、５４Ａ、５４Ｂ、６６……導出パイプ、５５……案内溝、５６……上下動部材、５７……スプリング、５９……外部筐体、６０……支点、６１……ハンドル、５８Ａ、５８Ｂ……支点部材、６５Ａ、６５Ｂ……連結チューブ、６６Ａ、６６Ｂ……溶液通路、７１Ａ、７１Ｂ、７４Ａ、７４Ｂ……逆止弁、７２Ａ、７２Ｂ……支持棒、７３Ａ、７３Ｂ……補助管、７５Ａ、７５Ｂ……スプリング、７７……連結管部。
【図１】
2013177156.tif 000003
【図２】
2013177156.tif 000004
【図３】
2013177156.tif 000005
【図４】
2013177156.tif 000006
【図５】
2013177156.tif 000007
【図６】
2013177156.tif 000008
【図７】
2013177156.tif 000009
【図８】
2013177156.tif 000010
【図９】
2013177156.tif 000011
【図１０】
2013177156.tif 000012
【図１１】
2013177156.tif 000013
【図１２】
2013177156.tif 000014
【図１３】
2013177156.tif 000015
【図１４】
2013177156.tif 000016